(57)【要約】【課題】上着とズボンとから成るパジャマにおいて、体を締め付けない既存のパジャマのゆったりした外観および形体を損なうことなく、寝ている間にズボンの裾や袖の裾が捲くれたり、また寝ながら上向きで本等を読むとき袖の裾が捲くれて腕が露出して寒さや冷えを感ずることがないようにすると共に、歩行時も既存パジャマの形体を損なわないようにする。【解決手段】パジャマのズボンの裾や袖の裾周辺の内側に、複数個または複数組の離着部材を付設し、裾の内側において離着部材を選択係止することによりパジャマの外観形体に変化を与えることなく裾の開口部の見かけ上の大きさを自在に調節し、個人個人異なる足首や手首の太さに適合できるようにした。【選択図】  図２
2005314858.tif 000002
【特許請求の範囲】
【請求項１】
パジャマの上着の袖の裾およびズボンの裾の周辺内側に複数個または複数組の離着部材を適宜付設したことを特徴とするパジャマ。
【請求項２】
離着部材の固定片を裾周辺の外側に取り付けたことを特徴とする請求項１記載のパジャマ。
【発明の詳細な説明】
【技術分野】
【０００１】
本発明は、上着とズボンとから成るパジャマの裾捲くれ上がり防止に関すものである。
【背景技術】
【０００２】
従来、上着とズボンから成るパジャマにおいて、ズボンの裾や袖の裾が寝ている間に捲くれ上がってしまわないように、伸縮自在な輪状の帯体をズボンの裾や袖の裾に取り付けたものを、足の土踏まずや手の指に掛けて、捲くれ上がりを防止している発明が知られている（特許文献１参照）。また袖口やズボンの裾をゴム編み状にしたものや、弾力材を設けて捲くれ上がりを防止しているものがある（特許文献２参照）。
【特許文献１】実用新案登録第３０５１９８４号
【特許文献２】実用新案登録第３１０３７５６号
【発明の開示】
【発明が解決しようとする課題】
【０００３】
従来、一般的に子供から大人まで上着とズボンから成るパジャマを用いているが、パジャマは体を締め付けないようにするため、また手軽に着脱できるように袖やズボンの裾は開口部が大きくゆったりできている。それ故、寝ている間にズボンの裾や袖の裾が捲くれ上がってしまい、特に子供や冷え性の老人などにとって非常に不都合なものであった。この解決方法として、輪状の帯体をズボンの裾や袖の裾に取り付け、足の土踏まずや手の指に掛けるようにして捲れ上がりを防止するものがあるが、時により取り付けたり取り外したりする手間が掛かり、また帯体は汚れが付着し不衛生なものである。
また、パジャマは袖の裾がゆったりできているので上向きに寝ながら本や新聞を読む時、袖の裾が捲れて腕が露出し寒いという不便があった。この点、特に入院患者は終日ベッドに寝て上向きで本や新聞を読む機会が多く腕が露出して寒く非常に不都合なものであった。
更に、パジャマは単に寝るときに着用するだけでなく、病院内では検査等でパジャマを着用したまま院内を歩行或は移動することが普通であるが、上記帯体はパジャマの形体を損ない衆目の中での着用に強度の抵抗感がある。
【０００４】
また、袖口やズボンの裾をゴム編み状や弾力材で形成したものは着脱が不便であると共に、体を締め付けないパジャマのゆったりした形体を損なうものである。
【０００５】
これらの点に鑑み、本発明は既存のパジャマの持っているゆったりした形体を変えることなく、パジャマの袖の裾やズボンの裾が捲れ上がることのない裾捲くれ上がり防止具を備えた新規のパジャマを提供することにより前述の問題点を解決するものである。
【課題を解決するための手段】
【０００６】
本発明は上記の問題点を解決するために、パジャマのズボンの裾や袖の裾周辺の内側に複数個または複数組の離着部材を適宜付設し、体を締め付けないゆったりしたパジャマの裾口の形体を変えることなく、裾周辺の内側において離着部材を選択係止することによって裾の開口部の大きさを自在に調節し、個人個人異なる足首や手首の太さに適合できるようにして上述した課題を解決した。
【発明の効果】
【０００７】
パジャマのズボンの裾や、袖の裾の周辺内側の一方に複数個の離着部材と対峙する他方
に一個の離着部材を付設し離着部材の架け替えにより複数通りの開口部の調節ができる。
また、パジャマのズボンの裾や、袖の裾の周辺内側に複数組の離着部材を敷設することにより（図３（ａ）（ｂ）参照）、離着部材の組み合わせはＡ−Ａ'、Ｂ−Ｂ'、Ｃ−Ｃ'の組み合わせに留まらずＡＢ間、ＡＣ間、ＢＣ間の組み合わせが選択でき、二組の離着部材の付設で三通りの組み合わせ係止ができ、開口部の大きさを三通り調節できる。 
また、三組の離着部材の付設により五通りの組み合わせ係止ができ、五通りの開口部の調節ができる。即ち、それぞれ離着部材の付設組数より数多く開口部の調節ができ、個人個人異なる足首や手首の太さに自在に適合できる。
何れも離着部材の架け替えは裾の内側において行なわれるので、裾部の形体に変化を与えることなく裾の開口部の大きさを自在に調節でき、体を締め付けないパジャマのゆったりした形体を損なうことなく裾の捲くれ上がりを防止して、寒さや冷えを防ぐことができる。
【０００８】
そして、歩行時は離着部材を用いる必要がないのでパジャマの形体に全く変化を与えることがなく、また、パジャマの着脱時も離着部材を係止する必要がないので容易に着脱できる。その上、袖やズボンが多少長めであっても離着部材の係止により手首や足首で止まり、長すぎて不便であるということも解消される。
【０００９】
更に、離着部材の固定片ｘ、ｙは（図５（a）、（b）参照）パジャマのズボンの裾４及び袖の裾３の外側に取り付けることもでき、離着部材の付設位置を外側から視認できる利点がある。また、離着部材の固定片ｘ、ｙは色彩、模様、文字などを施すと装飾効果が増すと共に、離着部材の架け替えの目安になり子供から老人まで自己の架ける離着部材の位置を容易に識別できる。
その上、離着部材は裾の外側から片手で圧着することができ、子供から年寄りまで簡単に操作できる。ことに手の力が弱い人や、病人でも容易に操作できる。尚、離着部材は特に汚れる憂いもない。
【発明を実施するための最良の形態】
【００１０】
パジャマの上着の袖の裾およびズボンの裾周辺の内側に、複数個または複数組の離着部材を適宜付設し、離着部材の架け替えを裾の内側で行ない裾の開口部の大きさを自在に調節できるようにしたものである。
以下に本発明の実施例を図面に従って説明する。
図中１はパジャマの上着、２はズボン、３は上着の袖の裾、４はズボンの裾、Ａ、Ｂ、Ｃ、Ａ´、Ｂ´、Ｃ´、Ｆ、Ｆ´は離着部材、ｘ、ｙは離着部材固定片である。
【実施例１】
【００１１】
図４（ａ）に示すようにパジャマの上着の袖の裾およびズボンの裾周辺の内側の一方に複数個の離着部材（Ａ〜Ｃ）を適宜付設し、対峙した他方に一個の離着部材Ａ´を付設して離着部材Ａ〜Ｃいずれかを選択し係止することにより裾の開口部の大きさを複数通り調節することができ、足首や手首の太さに自在に適合できるものである。
【実施例２】
【００１２】
図３（ａ）に示すように、パジャマの袖の裾およびズボンの裾周辺の内側に、二組の離着部材（Ａ、Ａ´）、及び（Ｂ、Ｂ´）を適宜付設する。離着部材の組み合わせは，Ａ−Ａ´及びＢ−Ｂ´のみならずＡ−Ｂ´（またはＡ´−Ｂ）間の架け替えも選択でき、裾の形体に変化を与えることなく、二組の離着部材の付設で三通りの開口部の大きさに調節でき、個人個人異なる足首や手首の太さに自在に適合できるものである。
【実施例３】
【００１３】
図３（ｂ）に示すように、パジャマの上着の袖の裾およびズボンの裾周辺の内側に、三
組の離着部材（Ａ、Ａ´）、（Ｂ、Ｂ´）、（Ｃ、Ｃ´）の付設で、Ａ―Ａ'、Ａ―Ｂ'(またはＡ'―Ｂ)、Ｂ―Ｂ'(またはＡ―Ｃ'、Ａ'―Ｃ)、Ｂ―Ｃ'(またはＢ'―Ｃ)、Ｃ―Ｃ'の選択組み合わせができ、五通りの開口部の調節ができる。即ち、離着部材の付設組数より数多く開口部の調節ができ、個人個人異なる足首や手首の太さに自在に適合できるものである。
【実施例４】
【００１４】
図４（ａ）に示すようにパジャマの袖の裾およびズボンの裾周辺の内側の一方に離着部材として複数個の面ファスナー（Ａ〜Ｃ）を敷設し、対峙した他方に一個の面ファスナーＡ´を付設することができるが、複数個の面ファスナーの代わりに図４（ｂ）に示すように連続した長尺の面ファスナーＦを付設し、対峙する一方に付設した面ファスナーＦ´を適宜の位置に止着することにより上記と同様に裾の開口部の大きさを自在に調節することもできる。
【実施例５】
【００１５】
離着部材はパジャマの袖裾３およびズボン裾４の周辺内側に複数個または複数組付設するが、当該離着部材の固定片ｘ、ｙを図１（ａ）、（ｂ）に示すように、裾の外側に露出しないように付設すると、パジャマの外観形体は既存のパジャマと全く変わらないものとなる。これに対し図５（a）、（b）に示すように、 離着部材の固定片ｘ、ｙをパジャマのズボンの裾４及び袖の裾３の外側に取り付けるとパジャマの装飾になると共に、離着部材の固定片ｘ、ｙは着色や文字、模様などを施すことができ、離着部材の架け替えの目安になり、子供から老人まで自己の離着部材の架ける位置を容易に識別できるものである。
【００１６】
尚、以上の実施例の何れも袖の裾、及びズボンの裾の形体に変化を与えることなく、開口部の見かけ上の大きさを自在に調節できる。
【産業上の利用可能性】
【００１７】
本発明は洋式パジャマ類の全てに利用することができる。  
【図面の簡単な説明】
【００１８】
【図１】（ａ）、（ｂ）は本発明の要部の実施形態の一例を示した側面図であり、 （ａ）はズボンの裾部、（ｂ） は袖裾部を示す。
【図２】は本発明の形態の一例を示した正面図である。
【図３】（ａ）、（ｂ）は本発明の要部の形態を示した斜視図である。
【図４】（ａ）、（ｂ）は本発明の要部の形態を示した斜視図である。
【図５】（ａ）、（ｂ）は本発明の要部の実施の形態の一例を示した側面図であり、（ａ）はズボンの裾部、（ｂ） は袖裾部を示す。
【符号の説明】
【００１９】
１・・・・パジャマ上着
２・・・・ズボン
３・・・・袖裾
４・・・・ズボン裾
Ａ、Ａ'、Ｂ、Ｂ'、Ｃ、Ｃ'・・・・離着部材
Ｆ、Ｆ'・・・・離着部材
ｘ、ｙ・・・・離着部材固定片
【図１】
2005314858.tif 000003
【図２】
2005314858.tif 000004
【図３】
2005314858.tif 000005
【図４】
2005314858.tif 000006
【図５】
2005314858.tif 000007